(57)【特許請求の範囲】
【請求項１】
収納室を形成するケーシングと、上記収納室に収納されるディスクドライブ本体とを備えたストレージ装置において、
上記ディスクドライブ本体と上記ケーシングとに介在し、可撓性の材料から形成され、撓み方向への応力を受けて歪むことによって衝撃応力を吸収する緩衝部材を備え、
上記緩衝部材は、上記ディスクドライブ本体または上記ケーシングの一方の壁面に装着された支持部と、該支持部に形成されたほぼ半球状のドーム部と、該ドーム部の頂部から外方に突設し、他方の壁面に当接する当接部と、を備え、
上記ドーム部は内部が中空であり、
上記ドーム部および上記支持部は、上記一方の壁面とともに、前記ドーム部の内側スペースに、空気を封止する封止室を形成し、
前記ドーム部が上記撓み方向に圧縮されるとともに、前記当接部が前記一方の壁面に到達して上記撓み方向に圧縮されるときにも、前記封止室は、少なくとも、前記当接部の周囲に残留すること、を特徴とするストレージ装置。
【請求項２】
請求項１に記載のストレージ装置において、
上記支持部に貼付され、上記封止室の気密性を高くする接着シートを備えているストレージ装置。
【請求項３】
請求項１または請求項２に記載のストレージ装置において、
上記当接部は、上記撓み方向の剛性を上記ドーム部より大きくしたストレージ装置。
【請求項４】
請求項１ないし請求項３のいずれかに記載のストレージ装置において、
上記支持部は、該支持部の周縁部に形成され、該周縁部の機械的強度を高める周縁突条を備えているストレージ装置。
【請求項５】
請求項１ないし請求項４のいずれかに記載のストレージ装置において、
上記ドーム部は、主ドーム部と、該主ドーム部の外側方に配置され、外力を受けていない状態における高さが該主ドーム部より低い副ドーム部と、を備えているストレージ装置。
【請求項６】
請求項１ないし請求項５のいずれかに記載のストレージ装置において、
上記ディスクドライブ本体は、上記ケーシングの上記収納室内において複数の箇所に点在している上記緩衝部材によって支持されている、ストレージ装置。
【請求項７】
請求項１ないし請求項６のいずれかに記載のストレージ装置において、
上記緩衝部材は、上記当接部を含む複数の突設部位を有しており、
上記当接部を含む上記ドーム部の上記撓み方向における高さは、外力を受けていない状態の上記緩衝部材において最も高い、ストレージ装置。
【発明の詳細な説明】
【技術分野】
【０００１】
本発明は、外的衝撃からディスクドライブ本体を保護する緩衝部材を備えたストレージ装置に関する。
【背景技術】
【０００２】
従来、この種のストレージ装置のうちハードディスクドライブ装置として、例えば、特許文献１，２の技術が知られている。ハードディスクドライブ装置は、ケーシング内に収納されるハードディスクドライブ本体と、ハードディスクドライブ本体とケーシングの内壁とに介在し、応力を受けて歪むことによって衝撃応力を吸収する緩衝部材とを備え、落下時における衝撃を緩衝部材で吸収し、ハードディスクドライブ本体への衝撃を緩和している。こうした緩衝部材として、ゴムの平板の小片を用いて、その弾性圧縮によりエネルギーを吸収することで衝撃を緩和している。
【０００３】
しかし、従来の緩衝部材では、外的衝撃により最大の圧縮量を超えると、急激に衝撃力が高くなるという課題があった。また、ケーシングの内壁とハードディスクドライブ本体との間隙に、寸法公差のバラツキがあった場合や、ディスクドライブ本体の外寸が異なっているものに対応させたい場合に、その厚さに対応したゴム厚の緩衝部材を用いなければならず、汎用性が低いだけでなく、材料量が多くなり、コストアップになるという課題もあった。
【先行技術文献】
【特許文献】
【０００４】
【特許文献１】特開２００３−２７２３６７
【特許文献２】特開２００４−５５０１３
【発明の概要】
【発明が解決しようとする課題】
【０００５】
本発明は、上記従来の技術の問題点を解決することを踏まえ、耐衝撃性に優れ、寸法公差のバラツキや外寸の異なるディスクドライブ本体に対応でき、汎用性が高いストレージ装置を提供することを目的とする。
【課題を解決するための手段】
【０００６】
本発明は、上述の課題の少なくとも一部を解決するためになされたものであり、以下の形態または適用例として実現することが可能である。本発明の一形態は、収納室を形成するケーシングと、上記収納室に収納されるディスクドライブ本体と、を備えたストレージ装置として構成される。このストレージ装置は、上記ディスクドライブ本体と上記ケーシングとに介在し、可撓性の材料から形成され、撓み方向への応力を受けて歪むことによって衝撃応力を吸収する緩衝部材を備え、上記緩衝部材は、上記ディスクドライブ本体または上記ケーシングの一方の壁面に装着された支持部と、該支持部に形成されたほぼ半球状のドーム部と、該ドーム部の頂部から外方に突設し、他方の壁面に当接する当接部と、を備え、上記ドーム部は内部が中空であり、上記ドーム部および上記支持部は、上記一方の壁面とともに、前記ドーム部の内側スペースに、空気を封止する封止室を形成し、前記ドーム部が上記撓み方向に圧縮されるとともに、前記当接部が前記一方の壁面に到達して上記撓み方向に圧縮されるときにも、前記封止室は、少なくとも、前記当接部の周囲に残留する。前記の形態において、上記ディスクドライブ本体は、上記ケーシングの上記収納室内において、複数の箇所に点在している上記緩衝部材によって支持されて良い。また、前記の形態において、上記緩衝部材は、上記当接部を含む複数の突設部位を有しており、上記当接部を含む上記ドーム部の上記撓み方向における高さは、外力を受けていない状態の上記緩衝部材において最も高くても良い。
【０００７】
［適用例１］
適用例１は、収納室を形成するケーシングと、上記収納室に収納されるディスクドライブ本体とを備えたストレージ装置において、
上記ディスクドライブ本体と上記ケーシングとに介在し、可撓性の材料から形成され、撓み方向への応力を受けて歪むことによって衝撃応力を吸収する緩衝部材を備え、
上記緩衝部材は、上記ディスクドライブ本体または上記ケーシングの一方の壁面に装着された支持部と、該支持部に形成されたほぼ半球状のドーム部と、該ドーム部の頂部に形成され他方の壁面に当接する当接部とを備え、
上記ドーム部および上記支持部は、上記一方の壁面とともに形成される内側スペースが空気を封止する封止室を形成すること、を特徴とする。
【０００８】
適用例１にかかるストレージ装置において、落下や転倒などにより、ケーシングに衝撃が加わると、その衝撃は、ケーシングのケーシング本体とディスクドライブ本体との間に介在する緩衝部材へ伝えられる。緩衝部材は、支持部と当接部との間でドーム部が圧縮されることで撓み方向への距離が小さくなる。ドーム部の内側のスペースは、ドーム部、支持部およびディスクドライブ本体またはディスクドライブ本体の壁面で気密に囲まれた封止室となっており、その封止室がエアーダンパとして作用するから、衝撃を緩和することができる。
【０００９】
こうした緩衝部材は、ディスクドライブ本体とケーシングとの間隙の寸法公差が大きい場合や、ディスクドライブ本体の外寸が異なっている場合にも、ドーム部の高さ（厚み）を調節することで、両壁面に介在して緩衝作用を十分に果たす。よって、緩衝部材は、材料量をさほど増やすことなく、大きな寸法公差に対応でき、コストダウンを実現できるとともに汎用性も高い。
【００１０】
［適用例２］
適用例２は、上記支持部に貼付され、上記封止室の気密性を高くする接着シートを備えている構成をとることができる。この構成により、接着シートは、封止室の気密性を一層、高くするから、そのエアーダンパとしての機能を高めることができる。
【００１１】
［適用例３］
適用例３の上記当接部は、上記撓み方向の剛性をドーム部より大きくした構成をとることができる。この構成により、緩衝部材が圧縮されたときに、当接部３６自体は、その形状を維持してその下端がディスクドライブ本体の壁面に当たるとともに、ドーム部を優先的に屈曲させる。すなわち、緩衝部材は、大きな圧縮力を受けても、ドーム部内の封止室のスペースをなくさないから、ディスクドライブ本体とケーシング本体とが直接衝突する、いわゆる底突きを生じることがなく、急激に衝撃力が高くなることがない。
【００１２】
［適用例４］
適用例４の支持部は、該支持部の周縁部に形成され、機械的強度を高める突条を備えている構成をとることができる。この構成により、周縁突条は、支持部の周縁部の機械的強度を高めるので、支持部の端部の剥離を防止し、封止室の気密性を維持することができる。
【００１３】
［適用例５］
適用例５のドーム部は、主ドーム部と、該主ドーム部の外側方に配置され主ドーム部より高さが低い副ドーム部を備えている構成をとることができる。この構成により、副ドーム部は、主ドーム部が十分に圧縮された後に圧縮されることで衝撃力を低減するとともに、主ドーム部が損傷などにより気密性を失った場合においてそのバックアップ機能も果たす。
【図面の簡単な説明】
【００１４】
【図１】本発明の一実施例にかかるハードディスクドライブ装置を分解して示す斜視図である。
【図２】緩衝部材の付近を拡大した断面図である。
【図３】緩衝部材を示す斜視図である。
【図４】緩衝部材の作用を説明する説明図である。
【図５】緩衝部材の作用を説明する説明図である。
【図６】他の実施例にかかる緩衝部材の斜視図である。
【図７】さらに他の実施例にかかる緩衝部材を示す斜視図である。
【図８】別の実施例にかかる緩衝部材を示す斜視図である。
【発明を実施するための形態】
【００１５】
（１）  ハードディスクドライブ装置１０の概略構成
図１は本発明の一実施例にかかるハードディスクドライブ装置１０（ストレージ装置）を分解して示す斜視図である。ハードディスクドライブ装置１０は、ハードディスクドライブ本体１２（ディスクドライブ本体）と、ハードディスクドライブ本体１２を収納するケーシング２０と、ハードディスクドライブ本体１２とケーシング２０の内壁とに介在する緩衝部材３０とを備えており、ＵＳＢケーブルによりコンピュータに接続可能な装置である。
【００１６】
ハードディスクドライブ本体１２は、金属製のユニットケースに収納された汎用の３．５インチのハードディスクドライブである。ケーシング２０は、収納室２０ａを形成する樹脂製の筐体であり、ケーシング本体２１と蓋体２２とを爪などの係合機構を介して一体化されるものである。ケーシング本体２１および蓋体２２の内壁には、位置決め突起のほかに、緩衝部材３０が装着されている。緩衝部材３０は、ケーシング２０内にハードディスクドライブ本体１２を組み付けたときに、その両壁面の間に介在することにより、耐衝撃性を与える弾性部材であり、ハードディスクドライブ本体１２の側壁の隅に複数配置されている。
【００１７】
（２）  緩衝部材３０の構成
図２は緩衝部材３０の付近を拡大した断面図、図３は緩衝部材３０を示す斜視図である。緩衝部材３０は、ハードディスクドライブ本体１２とケーシング２０の壁面との間隙ＧＰに配置されており、ハードディスクドライブ本体１２の側に接着シート４０を介して装着された支持部３１と、支持部３１上に形成されたドーム部３４と、ドーム部３４の上部に形成された当接部３６とを備え、各部を一体に形成している。
【００１８】
支持部３１は、ケーシング２０に装着するための部位であり、外形が正方形に形成されている。支持部３１の周縁部には、周縁突条３１ａが形成され、支持部３１の周縁部を機械的に補強している。ドーム部３４は、支持部３１上に薄肉でほぼ半球状に形成されており、その内側スペースを封止室３４Ｓとしており、撓み方向に圧縮されることにより衝撃吸収性を発揮するための部位である。当接部３６は、ドーム部３４の上部から突設された筒部３６ａと、筒部３６ａの中心を通る十字形に掛け渡された架橋部３６ｂとを備え、筒部３６ａおよび架橋部３６ｂの間は、肉抜きされている。筒部３６ａおよび架橋部３６ｂの端面は、同一面上に配置されており、ケーシング本体２１にほぼ垂直に同時に当たるように形成されている。当接部３６は、ドーム部３４より、撓み方向の剛性が高く形成されており、つまり、緩衝部材３０が撓み方向の力を受けたときに、当接部３６がその形状をほぼ維持し、ドーム部３４が主に弾性変形するように形成されている。
【００１９】
接着シート４０は、シートの両面に接着剤を塗布した、いわゆる両面テープから形成されており、一方の接着面が支持部３１の支持面３１ｂに接着されることにより、封止室３４Ｓ内の気密性を高めている。また、接着シート４０の他方の接着面は、ハードディスクドライブ本体１２の壁面に接着されることで、緩衝部材３０をハードディスクドライブ本体１２の壁面に装着している。
【００２０】
ここで、緩衝部材３０の材料として、シリコンゴム、ポリウレタン、シリコンゲル、エラストマーなどの可撓性の材料を用いることができ、また、その肉厚は、上述した材質や耐衝撃性などを考慮して、支持部３１が０．３〜０．６ｍｍ、ドーム部３４が０．３〜０．６ｍｍ、当接部３６が筒部３６ａおよび架橋部３６ｂの肉厚で０．５〜１．０ｍｍとすることができる。また、緩衝部材３０の高さは、２〜５ｍｍに設定することができる。こうした緩衝部材３０は、例えば、未加硫のゴムを用いて、多数個をマトリックス状に同時に型成形し、これを加硫した後に、接着シート４０を構成するシートを接着し、カッターにより個々に切断することにより形成することができる。
【００２１】
（３）  実施例の作用・効果
上記実施例の構成により、以下の効果を奏する。
（３）−１  図４に示すように、ハードディスクドライブ装置１０において、落下や転倒などにより、ケーシング２０に衝撃が加わると、その衝撃は、ケーシング２０のケーシング本体２１とハードディスクドライブ本体１２との間に介在する緩衝部材３０へ伝えられる。緩衝部材３０は、支持部３１と当接部３６との間でドーム部３４が圧縮されることで撓み方向への距離が小さくなる。ドーム部３４の内側のスペースは、ドーム部３４、支持部３１およびハードディスクドライブ本体１２の壁面で気密に囲まれた封止室３４Ｓとなっており、その封止室３４Ｓがエアーダンパとして作用するから、衝撃を緩和することができる。
【００２２】
（３）−２  図５において、当接部３６は、ドーム部３４より剛性が大きく形成されているから、緩衝部材３０が圧縮されたときに、当接部３６自体は、その形状を維持してその下端がハードディスクドライブ本体１２の壁面に当たるとともに、ドーム部３４を優先的かつＭ字形に屈曲させる。すなわち、緩衝部材３０は、大きな圧縮力を受けても、ドーム部３４内の封止室３４Ｓのスペースをなくさないから、ハードディスクドライブ本体１２とケーシング本体２１とが直接衝突する、いわゆる底突きを生じることがなく、急激に衝撃力が高くなることがない。
【００２３】
（３）−３  図２および図３に示すように、緩衝部材３０は、ハードディスクドライブ本体１２とケーシング２０との間隙に多少の寸法公差が大きい場合や、ディスクドライブ本体の外寸が異なっている場合にも、ドーム部３４の高さ（厚み）を調節することで、両壁面に介在して緩衝作用を十分に果たす。よって、緩衝部材３０は、材料量をさほど増やすことなく、大きな寸法公差に対応でき、コストダウンを実現できるとともに汎用性も高い。
【００２４】
（３）−４  接着シート４０は、封止室３４Ｓの気密性を一層高くするから、そのエアーダンパとしての機能を高めることができる。
【００２５】
（３）−５  支持部３１の外周部に突設された周縁突条３１ａは、支持部３１の周縁部の機械的強度を高めるので、支持部３１の端部の剥離を防止し、封止室３４Ｓの気密性を維持することができる。
【００２６】
なお、この発明は上記実施例に限られるものではなく、その要旨を逸脱しない範囲において種々の態様において実施することが可能であり、例えば次のような変形も可能である。
【００２７】
図６ないし図８は他の実施例にかかる緩衝部材をそれぞれ示す斜視図である。図６において、緩衝部材３０Ｂは、ドーム部３４Ｂを複数個で形成した構成に特徴を有する。ドーム部３４Ｂは、支持部３１Ｂの中央に配置された主ドーム部３４Ｂａと、主ドーム部３４Ｂａの外周であって、支持部３１Ｂの４隅に配置された副ドーム部３４Ｂｂとを備え、副ドーム部３４Ｂｂの高さが主ドーム部３４Ｂａより低くなっている。このような副ドーム部３４Ｂｂは、主ドーム部３４Ｂａが十分に圧縮された後に圧縮されることで衝撃力を低減するとともに、主ドーム部３４Ｂａが損傷などにより気密性を失った場合においてそのバックアップ機能も果たす。
【００２８】
図７に示す実施例にかかる緩衝部材３０Ｃは、ドーム部３４Ｃの外周部に支持突部３２Ｃを備えている構成に特徴を有する。すなわち、支持突部３２Ｃは、ドーム部３４Ｃの全外周に沿って円筒体に形成されており、その高さがドーム部３４の高さより低く形成されている。この支持突部３２Ｃは、ドーム部３４Ｃが圧縮された後に、圧縮力を受けることで、ドーム部３４Ｃを補助して衝撃力を低減するとともに、主ドーム部３４Ｂａが損傷などにより気密性を失った場合においてそのバックアップ機能も果たす。また、図８に示すように、他の緩衝部材３０Ｄの支持突部３２Ｄの構成として、ドーム部３４Ｄの両側方であって、支持部３１Ｄの両側の辺に沿って直線上の突部としても、図７の実施例と同様な構成を奏する。
【００２９】
さらに、本発明にかかる実施例として、上述した実施例で説明した緩衝部材の特徴的な構成、例えば、当接部、周縁突条、支持突部、副ドーム部などの構成を適宜組み合わせてもよい。
【００３０】
また、上記実施例では、緩衝部材３０は、ハードディスクドライブ本体１２の外壁面に接着したが、これに限らず、ケーシング２０の内壁面に接着してもよい。また、緩衝部材３０の装着手段として、接着シート４０を用いたが、支持部３１の支持面３１ｂに接着剤を直接塗布してもよく、いずれにしても、ハードディスクドライブ本体１２とケーシング本体２１との間に位置決めされた状態で介在するように配置する手段をとることができる。
【００３１】
また、上記実施例では、ストレージ装置として、３．５インチディスクを搭載したハードディスクドライブ装置について説明したが、携帯式のハードディスクドライブ装置や、コンピュータに内蔵するタイプのハードディスクドライブ装置、ＤＶＤ装置、ブルーレイディスク装置などの光学式の記憶装置などの各種の装置に適用することができる。
【符号の説明】
【００３２】
１０…ハードディスクドライブ装置
１２…ハードディスクドライブ本体
２０…ケーシング
２０ａ…収納室
２１…ケーシング本体
２２…蓋体
３０…緩衝部材
３０Ｂ…緩衝部材
３０Ｃ…緩衝部材
３０Ｄ…緩衝部材
３１…支持部
３１Ｂ…支持部
３１Ｄ…支持部
３１ａ…周縁突条
３１ｂ…支持面
３２Ｃ…支持突部
３２Ｄ…支持突部
３４…ドーム部
３４Ｂ…ドーム部
３４Ｂａ…主ドーム部
３４Ｂｂ…副ドーム部
３４Ｃ…ドーム部
３４Ｄ…ドーム部
３４Ｓ…封止室
３６…当接部
３６ａ…筒部
３６ｂ…架橋部
４０…接着シート
【図１】
0005830835.tif 000002
【図２】
0005830835.tif 000003
【図３】
0005830835.tif 000004
【図４】
0005830835.tif 000005
【図５】
0005830835.tif 000006
【図６】
0005830835.tif 000007
【図７】
0005830835.tif 000008
【図８】
0005830835.tif 000009